(57)【特許請求の範囲】
【請求項１】
コイルボビン（２）と、コイルボビン（２）の巻胴部３の外周に巻回されたコイル（７）と、コイルボビン（２）の巻胴部（３）の中空部（４）に脚部（９），（９）を挿入して固定された一対のコア（８），（８）とを有するリアクター本体（１）を、取付金具（１２）に取り付けてなるリアクターにおいて、
前記取付金具（１２）におけるリアクター本体（１）の取付部（１５），（１５）に、前記コア（８），（８）の外側端面（８′），（８′）を押さえる押さえ片（１６），（１６）を立設した、
ことを特徴とするリアクター。
【発明の詳細な説明】
【０００１】
【発明の属する技術分野】
この発明は、テレビ等の電源回路の一次側に組み込まれ、高調波電流の抑制用として用いられるリードタイプのリアクターに関する。
【０００２】
【従来の技術】
リアクターは、コイルボビンの巻胴部にコイルを巻回し、一対のコアをコイルボビンの両側にそれぞれ配置し、コアの各脚部をコイルボビンの中空部へ挿入し、かつ各脚部の対向面を、磁気ギャップを介して対向配置させている。
【０００３】
【発明が解決しようとする課題】
ところで、前述のごとく互いに対向配置させた一対のコア同士を固定するに際し、従来、接着剤を用いることがあり、この場合、接着剤の硬化時、磁気ギャップの寸法を保持するためにクリップ等の治工具を用いて行っていた。
【０００４】
しかし、この従来技術では、コアを固定するための作業性が悪い、という課題があった。
【０００５】
本発明は、上記のことに鑑み提案されたもので、その目的とするところは、クリップ等の治工具を省略でき、しかも磁気ギャップを一定に保持して、一対のコアを容易に固定し得るリードタイプのリアクターを提供することにある。
【０００６】
【課題を解決するための手段】
前記目的を達成するため、本発明ではコイルボビン２と、コイルボビン２の巻胴部３に巻回されたコイル７と、コイルボビン２の巻胴部３の中空部４に脚部９，９を挿入して固定された２個一対のコア８，８とを有するリアクター本体１を、取付金具１２に取り付けてなるリードタイプのリアクターにおいて、前記取付金具１２におけるリアクター本体１の取付部１５，１５に、前記コア８，８の外側端面８′，８′を押さえる押さえ片１６，１６を立設している。
【０００７】
【発明の実施の形態】
以下、本発明の実施例を図面に基づいて説明する。
【０００８】
図１〜図４は本発明の一実施例を示すもので、図１は平面図、図２は正面図、図３は右側面図、図４は縦断側面図である。
【０００９】
これら図１〜図４に示す実施例では、リアクター本体１と、これを取り付けるための取付金具１２とを備えている。
【００１０】
前記リアクター本体１は、絶縁性の樹脂を成形してなるコイルボビン２と、コイル７と、２個一対のコア８とを有している。
【００１１】
前記コイルボビン２は、巻胴部３と、これの内部に形成された中空部４と、巻胴部３の軸方向の両側に設けられたフランジ５，５と、各フランジ５，５の下方部に設けられた肉厚部６，６とを有している。
【００１２】
前記コイル７は、コイルボビン２の巻胴部３の外周に巻回され、かつリード線が接続され、リードタイプに構成されている。
【００１３】
前記コイル７を巻回した二つのコイルボビン２，２は、巻胴部３の軸方向と直交する横方向に結合されている。
【００１４】
いわゆる内鉄型の一対のコア８は、それぞれＵ型に形成されていて、それぞれ２個の脚部９，９を有している。また、２個のコア８，８はコイルボビン２，２の軸方向の一方の側と他方の側とから配置され、各脚部９，９をコイルボビン２，２の当該フランジ５，５の外側から中空部４，４に挿入されている。さらに、一方のコア８の脚部９，９と他方のコア８の脚部９，９間には、所定の寸法の磁気ギャップ１０が形成されている。そして、二つのコア８，８は接着剤１１により接着されるようになっている
【００１５】
前記取付金具１２は鉄板等の金属板を加工してなり、取付板１３と、取付部１５，１５と、材質に起因するバネ性を有する押さえ片１６，１６と、位置決め部１７，１７と、固定片１８，１８とを有している。
【００１６】
前記取付板１３は、リアクター本体１を上方に載置し、かつ取付面へ取付可能な大きさの矩形に形成されている。この取付板１３の隅部には、複数個の取付穴１４が設けられている。
【００１７】
前記取付部１５，１５は、取付板１３の幅方向の両端部をほぼ直角に逆Ｌ字型に折り曲げて形成されている。この取付部１５，１５には、前記リアクター本体１におけるコイルボビン２のフランジ５，５の肉厚部６，６を挿入して取り付けるようにしている。
【００１８】
前記押さえ片１６，１６は、前記取付部１５，１５における長さ方向のほぼ中央部に、ほぼＩ字型に立設されている。この押さえ片１６，１６は、リアクター本体１における各コア８，８の外側端面８′，８′を押さえるようになっている。
【００１９】
前記位置決め部１７，１７は、前記取付部１５，１５の長さ方向の一端部側において、取付板１３の幅方向の両端部をほぼ逆Ｌ字型に折り曲げて形成されている。この位置決め部１７，１７は、リアクター本体１におけるコイルボビン２のフランジ５，５の肉厚部６，６を受け止め、取付金具１２に対してリアクター本体１を位置決めするようになっている。
【００２０】
前記固定片１８，１８は、前記取付部１５，１５の長さ方向の他端部側において、取付板１３の幅方向の両端部をほぼＩ字型に折り曲げて立設されている。この固定片１８，１８は、取付金具１２にリアクター本体１を挿入して位置決めした後、互いに内側に折り曲げ、またはねじってリアクター本体１を固定するようにしている。
【００２１】
ところで、前記取付金具１２にリアクター本体１を取り付けるに際しては、まずコイルボビン２の巻胴部３の外周にコイル７を巻回して置く。また、各コア８，８の各脚部９，９の対向面に接着剤１１を塗布する。
【００２２】
ついで、コイルボビン２のフランジ５，５のの外側から、コイルボビン２の巻胴部３の中空部４に、前記コア８，８のそれぞれの脚部９，９を挿入する。
【００２３】
そして、接着剤１１が未だ硬化しない段階で、取付金具１２における固定片１８，１８側で取付部１５，１５に、コイルボビン２のフランジ５，５の肉厚部６，６を位置合わせする。ついで、取付金具１２における取付部１５，１５に、コイルボビン２のフランジ５，５の肉厚部６，６部分を挿入し、取付金具１２における位置決め部１７，１７にコイルボビン２のフランジ５，５の肉厚部６，６の端面が当接するまで、リアクター本体１をスライドさせる。
【００２４】
前記取付金具１２の位置決め部１７，１７にコイルボビン２のフランジ５，５の肉厚部６，６を当接させ、取付金具１２に対してリアクター本体１を位置決めした後、取付金具１２における固定片１８，１８を図３に示すように、内側に折り曲げ、またはねじり、取付金具１２にリアクター本体１を固定する。
【００２５】
前述のごとく、取付金具１２にリアクター本体１を取り付けた段階で、図３に示すように、取付金具１２の取付部１５，１５に立設された押さえ片１６，１６により、コア８，８の外側端面８′，８′が押され、図４に示すように、一方のコア８の脚部９，９と他方のコア８の脚部９，９間に所定の磁気ギャップ１０を確保した状態で接着剤１１が硬化し、コイルボビン２に二つのコア８，８が固定される。
【００２６】
以上のように、この実施例によれば、接着剤１１の硬化時、取付金具１２の取付部１５，１５に立設された押さえ片１６，１６により、コイルボビン２に装着されたコア８，８の外側端面８′，８′を押さえるようにしているので、クリップ等の治工具を用いることなく、コア８，８の脚部間に一定の磁気ギャップ１０を保持して、コイルボビン２にコア８，８を固定することができる。
【００２７】
なお、取付金具１２と、これに取り付けられたリアクター本体１とからなるリードタイプのリアクターを相手方の部材（図示せず）に取り付けるには、取付金具１２の取付板１３に設けられた取付穴１４を利用してビスまたはリベット等の固着部材で固着する。
【００２８】
次に、図５は本発明の他の実施例を示す縦断側面図である。
【００２９】
この図５に示す実施例では、一方のコア８の脚部９，９と、他方のコア８の脚部９，９間に磁気ギャップ材１９，１９を介設し、コイルボビン２に二つのコア８，８が接着剤１１で接着され、固定されている。
【００３０】
前記磁気ギャップ材１９は、絶縁紙または合成樹脂シートを切断して形成されている。また、この磁気ギャップ材１９の面積は、コア８の脚部９の対向面の面積に対して、例えばほぼ１／２等、磁気ギャップ材としての機能を果たし得る大きさを確保したうえで可及的に小さい面積に形成されていて、コア８，８の対向面同士の接着面積を大きく取り、確実に接着できるようにしている。
【００３１】
しかして、この実施例ではコア８，８の脚部９，９に接着剤１１を塗布し、かつ脚部９，９の対向面間に磁気ギャップ材１９を介設し、接着剤１１が未だ硬化しない段階で取付金具１２にリアクター本体１を取り付け、取付金具１２の取付部１５，１５に立設された押さえ片１６，１６によりコア８，８の外側端面８′，８′を押さえるようにしているので、かかる押さえ片１６，１６の機能と、磁気ギャップ材１９，１９の機能とが相俟って、一方のコア８の脚部９，９と他方のコア８の脚部９，９の対向面間の磁気ギャップを確実に保持した状態で、コイルボビン２にコア８，８を接着して固定することができる。
【００３２】
この図５に示す実施例の他の構成，作用については、前記図１〜図４に示す実施例と同様である。
【００３３】
【発明の効果】
以上説明したように、本発明ではリアクター本体１を取り付ける取付金具１２の取付部１５，１５に、押さえ片１６，１６を立設しており、二つのコア８，８の各脚部９，９に接着剤１１を塗布し、その脚部９，９をコイルボビン２の巻胴部３の中空部４に挿入し、前記接着剤１１が未だ硬化しない段階で取付金具１２にリアクター本体１を取り付け、取付金具１２に設けられた前記押さえ片１６，１６により、前記コア８，８の外側端面８′，８′を押さえるようにしているので、前記接着剤１１の硬化時、クリップ等の治工具を省略でき、しかも一方のコア８の脚部９，９と、他方のコア８の脚部９，９との対向面間に形成された磁気ギャップを一定に保持して、コイルボビン２に二つのコア８，８を容易に固定し得る効果がある。
【図面の簡単な説明】
【図１】本発明の一実施例を示す平面図である。
【図２】図１に示す実施例の正面図である。
【図３】図１に示す実施例の右側面図である。
【図４】図１に示す実施例の縦断側面図である。
【図５】本発明の他の実施例を示す縦断側面図である。
【符号の説明】
１    リアクター本体
２    コイルボビン
３    巻胴部
４    巻胴部の中空部
５    コイルボビンのフランジ
６    フランジの肉厚部
７    コイル
８    コア
８′  コアの外側端面
９    コアの脚部
１０  磁気ギャップ
１１  接着剤
１２  取付金具
１３  取付板
１５  取付部
１６  押さえ片
１７  位置決め部
１８  固定片
１９  磁気ギャップ材
【図１】
0003600483.tif 000002
【図２】
0003600483.tif 000003
【図３】
0003600483.tif 000004
【図４】
0003600483.tif 000005
【図５】
0003600483.tif 000006